(57)【特許請求の範囲】
【請求項１】
印刷の確認を指示するユーザ操作が行われた際に印刷中であったページのノーカーボン紙の種類に従って、前記種類と同じ種類のノーカーボン紙を、確認プリント対象ページ用のノーカーボン紙の種類として選択する第１の選択手段と、
前記第１の選択手段により選択された前記確認プリント対象ページ用のノーカーボン紙の種類に基づいて、複写確認用のノーカーボン紙の種類を選択する第２の選択手段と、
印刷の確認を指示するユーザ操作が行われた際に印刷中であったページに対応する画像を、確認プリント対象ページの画像として前記第１の選択手段により選択された種類の前記確認プリント対象ページ用のノーカーボン紙に印刷して出力し、前記第２の選択手段により選択された種類の前記複写確認用のノーカーボン紙には画像を印刷せずに出力する出力手段と、
を有することを特徴とする画像形成装置。
【請求項２】
前記第２の選択手段は、前記確認プリント対象ページ用のノーカーボン紙の種類が下用紙であるときは、前記複写確認用のノーカーボン紙の種類として上用紙を選択し、前記確認プリント対象ページ用のノーカーボン紙の種類が上用紙であるときは、前記複写確認用のノーカーボン紙の種類として下用紙を選択することを特徴とする請求項１に記載の画像形成装置。
【請求項３】
前記第２の選択手段は、前記確認プリント対象ページ用のノーカーボン紙の種類が中用紙であるときは、前記複写確認用のノーカーボン紙の種類として上用紙及び下用紙を選択することを特徴とする請求項２に記載の画像形成装置。
【請求項４】
前記出力手段は、前記第２の選択手段により前記複写確認用のノーカーボン紙の種類として上用紙が選択された場合、前記確認プリント対象ページ用のノーカーボン紙を出力する前に上用紙を出力し、前記第２の選択手段により前記複写確認用のノーカーボン紙の種類として上用紙及び下用紙が選択された場合、前記確認プリント対象ページ用のノーカーボン紙を出力する前に上用紙を出力して前記ノーカーボン紙を出力した後に下用紙を出力し、前記第２の選択手段により前記複写確認用のノーカーボン紙の種類として下用紙が選択された場合、前記確認プリント対象ページ用のノーカーボン紙を出力した後に下用紙を出力することを特徴とする請求項３に記載の画像形成装置。
【請求項５】
印刷の確認を指示するユーザ操作が行われた際に印刷中であったページのノーカーボン紙の種類に従って、前記種類と同じ種類のノーカーボン紙を、確認プリント対象ページ用のノーカーボン紙の種類として選択する第１の選択工程と、
前記第１の選択工程により選択された前記確認プリント対象ページ用のノーカーボン紙の種類に基づいて、複写確認用のノーカーボン紙の種類を選択する第２の選択工程と、
印刷の確認を指示するユーザ操作が行われた際に印刷中であったページに対応する画像を、確認プリント対象ページの画像として前記第１の選択工程により選択された種類の前記確認プリント対象ページ用のノーカーボン紙に印刷して出力し、前記第２の選択工程により選択された種類の前記複写確認用のノーカーボン紙には画像を印刷せずに出力する出力工程と、
を含むことを特徴とする出力制御方法。
【請求項６】
コンピュータを、請求項１乃至４何れか１項記載の画像形成装置の各手段として機能させるためのプログラム。
【発明の詳細な説明】
【技術分野】
【０００１】
本発明は、画像形成装置、出力制御方法、及びプログラムに関する。
【背景技術】
【０００２】
画像形成装置には、ＰＯＤ（Print On Demand）での利用を想定して、大量の印刷中のジョブが記録媒体にどのように印刷されているかを確認する確認プリント機能が設けられている。ユーザは、確認プリント機能を使うと、印刷中のジョブの任意の１ページを、印刷ジョブの排紙先とは別の排紙先に出力することができる。これにより、印刷物の出力形態（パンチ、ステイプルなど）に影響を与えることなく、ユーザは、印刷物の色味の確認、位置ズレの確認などを行うことができる。
ここで、画像形成装置で用いられる記録媒体として、ノーカーボン紙が存在する。ノーカーボン紙とは、従来のカーボン紙（用紙と用紙との間に挟んで利用する用紙）の働きを具備する記録媒体である。ノーカーボン紙によれば、発光剤と顕色剤との化学反応により、カーボン紙を用いずに筆記された内容を複数の用紙に複写することが可能となる。
【０００３】
また、ノーカーボン紙は、３つに分類できる。第１のノーカーボン紙は、記録媒体の裏面に発光剤が塗布されたノーカーボン紙（ＣＢ：Coated Back）である。第２のノーカーボン紙は、記録媒体の表面に顕色剤が塗布され、更に裏面に発光剤が塗布されたノーカーボン紙（ＣＦＢ：Coated Front and Back）である。第３のノーカーボン紙は、記録媒体の表面に顕色剤が塗布されたノーカーボン紙（ＣＦ：Coated Front）である。
つまり、筆記された内容を複数の用紙に複写可能な印刷物を作成する場合、この３種類のノーカーボン紙を組み合わせることになる。より具体的には、筆記された内容を４枚に複写する印刷物を作る場合、ＣＢ、ＣＦＢ、ＣＦＢ、ＣＦＢ、ＣＦの順番にノーカーボン紙を重ね合わせる。この構成によれば、ＣＢに対して筆記された内容が、ＣＦＢ×３枚とＣＦ×１枚の合計４枚に複写される。
【０００４】
このように、ノーカーボン紙によれば、用紙間にカーボン紙を挟まずに複写できるので利便性が高い。一方で、ノーカーボン紙による複写が発色剤と顕色剤との化学反応を利用した仕組みであるので、ノーカーボン紙の表裏を間違っている場合、筆記された内容が複写されない。実際、ノーカーボン紙に塗布される発色剤と顕色剤とは透明であるので、目視での表裏の確認が難しく、画像形成装置の給紙カセットにノーカーボン紙の表裏を間違えて給紙してしまい、筆記された内容が複写できない印刷物が生成されることがある。
そこで、近年、ノーカーボン紙に対して確認プリントを実行し、ノーカーボン紙の表裏に正しく印刷されていることも確認したいという要望が高まっている。
【０００５】
また、従来から、確認プリント時の記録媒体に着目して、確認プリントの動作を変える方法が考えられている（特許文献１参照）。より具体的には、特許文献１には、確認プリントの対象ページの記録媒体がタブ紙であった場合、タブ紙の代わりに普通紙を用いて確認プリントを実行することで、印刷の成果物以外にタブ紙が使われることを防ぐ方法が開示されている。
【先行技術文献】
【特許文献】
【０００６】
【特許文献１】特開２００８−１７３８７７号公報
【発明の概要】
【発明が解決しようとする課題】
【０００７】
しかしながら、特許文献１に記載の方法では、正しい印刷の成果物を得るために、確認プリントの対象ページの記録媒体を変更して確認プリントを行っている。すなわち、特許文献１に記載の方法では、確認プリントの対象ページの記録媒体が変更されるので、確認プリントの対象ページの記録媒体がノーカーボン紙であった場合、ノーカーボン紙の表裏に正しく印刷されているか否かを確認することが困難となる。
ここで、ノーカーボン紙を給紙カセットに給紙する方法を考えてみると、２つの形態がある。第１の形態は、ノーカーボン紙（ＣＢ）、ノーカーボン紙（ＣＦＢ）、ノーカーボン紙（ＣＦ）を別々の給紙カセットに給紙するものである。第２の形態は、ノーカーボン紙（ＣＢ）×１枚、ノーカーボン紙（ＣＦＢ）×Ｎ枚、ノーカーボン紙（ＣＦ）×１枚を一組として、複数組を１つの給紙カセットに給紙するものである。
【０００８】
例えば、第２の形態では、１つの給紙カセットにノーカーボン紙を給紙すればよいので、印刷時に利用する給紙カセットが最小限で済む利点があり、実際、複数種類のノーカーボン紙が一組とされて販売されている。以下では、この形態のノーカーボン紙をノーカーボン紙（Pre-Collated）と表記する。
しかしながら、確認プリントの対象ページがノーカーボン紙（Pre-Collated）である場合、一組（＝Ｎ＋２枚）を使い切る必要がある。故に、一組を使い切るように確認プリントを実行しなければならない問題がある。
また、第１の形態については、確認プリントの対象ページの記録媒体がノーカーボン紙であった場合に確認プリントを実行する方法が提案されていない。
【０００９】
本発明はこのような問題点に鑑みなされたもので、ノーカーボン紙を確認用として適切に出力することを目的とする。
【課題を解決するための手段】
【００１０】
そこで、本発明に係る画像形成装置は、印刷の確認を指示するユーザ操作が行われた際に印刷中であったページのノーカーボン紙の種類に従って、前記種類と同じ種類のノーカーボン紙を、確認プリント対象ページ用のノーカーボン紙の種類として選択する第１の選択手段と、前記第１の選択手段により選択された前記確認プリント対象ページ用のノーカーボン紙の種類に基づいて、複写確認用のノーカーボン紙の種類を選択する第２の選択手段と、印刷の確認を指示するユーザ操作が行われた際に印刷中であったページに対応する画像を、確認プリント対象ページの画像として前記第１の選択手段により選択された種類の前記確認プリント対象ページ用のノーカーボン紙に印刷して出力し、前記第２の選択手段により選択された種類の前記複写確認用のノーカーボン紙には画像を印刷せずに出力する出力手段と、を有することを特徴とする。
【発明の効果】
【００１１】
本発明によれば、ノーカーボン紙を確認用として適切に出力することができる。
【図面の簡単な説明】
【００１２】
【図１】印刷システムの構成の一例を示す図である。
【図２】画像形成装置の構成の一例を示す図である。
【図３】外部給紙装置及び画像形成装置本体の断面の一例を示す図である。
【図４】大容量スタッカの断面の一例を示す図である。
【図５】画像形成装置のハードウェア構成の一例を示す図である。
【図６】情報処理装置のハードウェア構成の一例を示す図である。
【図７】画像形成装置及び情報処理装置のソフトウェア構成の一例を示す図である。
【図８】登録画面の一例を示す図である。
【図９】ジョブ管理画面の一例を示す図である。
【図１０】印刷設定画面の一例を示す図である。
【図１１】混合設定画面の一例を示す図である。
【図１２】ページ範囲定義画面の一例を示す図である。
【図１３】ジョブ状況画面の一例を示す図である。
【図１４】確認プリント画面の一例を示す図である。
【図１５】確認プリントの処理の一例を示す図である。
【図１６】ノーカーボン紙確認プリント処理の一例を示す図である。
【図１７】ノーカーボン紙確認プリント処理の結果の一例を示す図である。
【図１８】ノーカーボン紙確認プリント処理の一例を示す図である。
【図１９】ノーカーボン紙確認プリント処理の一例を示す図である。
【図２０】ノーカーボン紙確認プリント処理の結果の一例を示す図である。
【発明を実施するための形態】
【００１３】
以下、本発明の実施形態について図面に基づいて説明する。なお、実施形態で説明されている全ての構成が本発明の課題を解決するための手段に必須であるとは限らない。
【００１４】
＜第１の実施形態＞
図１を用いて本実施形態に係る印刷システムの構成について説明する。図１は、印刷システムの構成の一例を示す図である。
印刷システムは、画像形成装置１０１及び情報処理装置１０２を含んで構成される。画像形成装置１０１及び情報処理装置１０２は、ネットワーク１０３を介して接続され、互いに通信可能である。
情報処理装置１０２は、サーバ等のコンピュータであり、ジョブ管理、及びＲＩＰ（Raster Image Processor）処理や面付けなどの処理を行い、印刷ジョブを画像形成装置１０１に送信する。画像形成装置１０１は、複合機等のコンピュータであり、印刷ジョブをもとに印刷などする。
【００１５】
図２は、画像形成装置１０１の構成の一例を示す図である。画像形成装置１０１は、外部給紙装置２０１、画像形成装置本体２０２、及び大容量スタッカ２０３を含んで構成される。
外部給紙装置２０１は、大量の印刷用紙（以下では用紙と適宜称する。）を画像形成装置本体２０２に提供する。画像形成装置本体２０２は、外部給紙装置２０１を用いることで、大量枚数の印刷を中断することなく実行できる。また、画像形成装置本体２０２は、印刷装置であり、外部給紙装置２０１や画像形成装置本体２０２に付属の給紙カセットから給紙された用紙に印刷を行う。大容量スタッカ２０３は、印刷物を大量に溜めておくことができる排紙装置であり、主に外部給紙装置２０１を用いて印刷された大量の印刷物を溜めておくために利用される。
【００１６】
図３は、外部給紙装置２０１及び画像形成装置本体２０２の断面の一例を示す図である。
自動原稿搬送装置（ＡＤＦ）３０１は、原稿トレイの積載面にセットされた原稿束を１頁目の原稿から、ページ順に、順番に分離して、スキャナ３０２によって原稿走査されるように原稿台ガラス上へ搬送する。スキャナ３０２は、原稿台ガラス上に搬送された原稿の画像を読み取り、ＣＣＤによって画像データに変換する。回転多面鏡（ポリゴンミラー等）３０３は、前記画像データに応じて変調された、例えばレーザ光などの光線を入射させ、反射ミラーを介して反射走査光として感光ドラム３０４に照射する。
感光ドラム３０４上に前記レーザ光によって形成された潜像は、トナーによって現像され、転写ドラム３０５上に貼り付けられたシート材に対してトナー像が転写される。この一連の画像形成プロセスがイエロー（Ｙ）、マゼンタ（Ｍ）、シアン（Ｃ）、ブラック（Ｋ）のトナーに対して順次実行されることによりフルカラー画像が形成される。４回の画像形成プロセスの後に、フルカラー画像が形成された転写ドラム３０５上のシート材は、分離爪３０６によって分離され、定着前搬送器３０７によって定着器３０８へ搬送される。
【００１７】
定着器３０８は、ローラやベルトの組み合わせによって構成され、ハロゲンヒータなどの熱源を内蔵し、トナー像が転写されたシート材上のトナーを、熱と圧力によって溶解、定着させる。排紙フラッパ３０９は、揺動軸を中心に揺動可能に構成され、シート材の搬送方向を規定する。排紙フラッパ３０９が図中の時計回りの方向に揺動しているときには、シート材は真直ぐに搬送され、排紙ローラ３１０によって機外へ排出される。
一方、シート材の両面に画像を形成する際には、排紙フラッパ３０９が図中の反時計回りの方向に揺動し、シート材は、下方向に進路を変更されて両面搬送部へと送り込まれる。両面搬送部は、反転フラッパ３１１、反転ローラ３１２、反転ガイド３１３、及び両面トレイ３１４を具備する。
【００１８】
反転フラッパ３１１は、揺動軸を中心に揺動可能に構成され、シート材の搬送方向を規定する。両面印刷ジョブを処理する場合は、反転フラッパ３１１を図中の反時計回りの方向に揺動させることで、シート材の第１面にプリント済みのシート材が、反転ローラ３１２を介して、反転ガイド３１３へと送り込まれる。そして、シート材の後端が反転ローラ３１２に狭持された状態で反転ローラ３１２を一旦停止させ、引き続き反転フラッパ３１１を図中の時計回りの方向に揺動させる。且つ、反転ローラ３１２を逆方向に回転させる。これにより、該シート材をスイッチバックして搬送させ、シート材の後端と先端とが入れ替わった状態で、該シート材が両面トレイ３１４へと導かれる。
【００１９】
両面トレイ３１４は、シート材を一旦積載し、その後、再給紙ローラ３１５によってシート材は、再びレジストローラ３１６へと送り込まれる。このときシート材は、１面目の転写工程とは反対の面が感光ドラムと対向する側になって送られてきている。そして、上述したプロセスと同様にして該シート材の第２面に対して２面目の画像が形成される。
そして、シート材の両面に画像が形成され、定着工程を経て排紙ローラ３１０を介して画像形成装置本体２０２内部から機外へと該シート材が排出される。以上のような一連の工程（両面印刷シーケンス）を実行することで、両面印刷ジョブのシート材の第１面、及び第２面の各面に対する両面印刷を画像形成装置１０１により実行可能にする。
【００２０】
また、給紙搬送部としては、印刷処理に要するシート材を収納する給紙ユニットに収納されたシート材を給送するユニットとして、給紙ローラ３２１、レジストローラ３１６等がある。給紙ユニットは、複数種類の用紙を種類別に格納する格納部の一例であり、給紙カセット３１７、３１８（例えば夫々５００枚のシート材を収容可能）、外部給紙装置３１９（例えば３０００枚のシート材を収納可能）、手差しトレイ３２０等である。
給紙カセット３１７、３１８、及び外部給紙装置３１９は、各種のシートサイズで且つ各種のマテリアルのシート材を、これらの給紙ユニット毎に、区別してセット可能に構成されている。手差しトレイ３２０は、ＯＨＰシート等の特殊なシート材を含む各種の印刷媒体をセット可能に構成されている。
給紙カセット３１７、３１８、外部給紙装置３１９、及び手差しトレイ３２０には、それぞれに給紙ローラ３２１が設けられ、１枚単位でシート材を連続的に給送可能に構成される。例えば、ピックアップローラによって積載されたシート材が順次繰り出され、給紙ローラ３２１に対向して設けられる分離ローラによって重送が防止されることで、シート材は１枚ずつ搬送ガイドへと送り出される。
【００２１】
ここで、分離ローラには搬送方向とは逆方向に回転させる駆動力がトルクリミッタ（図示しない）を介して入力される。より具体的には、分離ローラと給紙ローラ３２１との間に形成されるニップ部にシート材が１枚だけ進入しているときには、分離ローラは、シート材に従動して搬送方向に回転する。他方、重送が発生している場合には搬送方向とは逆方向に分離ローラが回転することにより重送したシート材が戻され、最上部の１枚だけが送り出されるようになっている。
送り出されたシート材は、搬送ガイドの間を案内され、複数の搬送ローラによってレジストローラ３１６まで搬送される。このとき、レジストローラ３１６は停止しており、シート材の先端がレジストローラ３１６の対で形成されるニップ部に突き当たり、シート材がループを形成して斜行が補正される。その後、画像形成部において感光ドラム３０４上に形成されるトナー像のタイミングに合わせて、レジストローラ３１６は回転を開始してシート材を搬送する。
レジストローラ３１６により送られたシート材は、吸着ローラ３２２によって転写ドラム３０５表面に静電気的に吸着される。定着器３０８から排出されたシート材は、排紙ローラ３１０を介して機外に排出される。
【００２２】
操作パネル３２３は、ＬＣＤを有する操作部であり、コピーや画像形成装置１０１に対する各種の設定項目の値（設定値）の指定を受け付ける。
ネットワークコネクタ３２４は、ネットワーク１０３と接続するための接続部である。例えば、ネットワークコネクタ３２４は、RJ-45形状の通信用のコネクタである。
ここで、片面の印刷時の印刷面と、及び両面の印刷時の第一面とが異なる点には注意を要する。換言するならば、給紙カセット３１７、３１８においては、シート材の印刷面はシート材の下向きの面であるのに対し、外部給紙装置３１９、手差しトレイ３２０においては、シート材の印刷面はシート材の上向きの面となる。
つまり、ノーカーボン紙のような表裏に注意を払う必要があるシート材を給紙ユニットに設置する場合は、印刷面に注意して設置しないと、望んだ印刷物が生成されない。
【００２３】
図４は、大容量スタッカ２０３の断面の一例を示す図である。
大容量スタッカ２０３は、ストレートパス４０１、エスケープパス４０２、及びスタックパス４０３の３つの搬送経路を有する。また、大容量スタッカ２０３は、エスケープトレイ４０４及びスタックトレイ４０５を有する。
ストレートパス４０１は、画像形成装置本体２０２から受け取ったシート材を搬送する搬送路である。また、ストレートパス４０１は、図示していない後段の装置におけるシート処理などが要求されている場合に、後段の装置へシート材を搬送する搬送経路である。
エスケープパス４０２は、シート材をスタックせずに、排出したい場合に用いられる。例えば、排出の確認作業（確認プリント）等を行う場合に、エスケープパス４０２からエスケープトレイ４０４にシート材が排出される。なお、大容量スタッカ２０３内部のシート搬送路には、シート材の搬送状況やジャムを検知するための複数の検知センサが設けられている。
【００２４】
スタックパス４０３は、大容量スタッカ２０３が具備する積載ユニット（スタックトレイ４０５等）にシート材を搬送する搬送経路である。例えば、ユーザから積載処理の要求を受付けた場合、シート材は、スタックパス４０３を経由し、スタックトレイ４０５へ排紙される。
スタックトレイ４０５は、伸縮可能なステイ４０６の上に載置される積載ユニットの一例である。スタックトレイ４０５とステイ４０６との結合部には、ショックアブソーバ等が設けられている。伸縮可能なステイ４０６の下部には、台車４０７が設けられている。台車４０７は、不図示の取手を付けることにより、上に載せたシート材（スタック出力）を別のオフラインフィニッシャなどに運べるように構成されている。
【００２５】
また、スタッカ部の前ドアが閉まっている場合、伸縮可能なステイ４０６は、スタック出力が積載されやすい上の位置に上昇する。一方、前ドアがオペレータにより開けられる（或いは、開ける指示がなされる）と、スタックトレイ４０５は、スタック出力が取り出されやすいように下降する仕組みになっている。
以上の構成により、大容量スタッカ２０３は、大量の印刷物をスタックトレイ４０５に排紙し、確認プリントなどの少量の印刷物をエスケープトレイ４０４に排紙することができる。
【００２６】
図５は、画像形成装置１０１のハードウェア構成の一例を示す図である。
ＣＰＵ回路部５０７は、ＣＰＵ（セントラルプロセッシングユニット）５０８を有し、ＲＯＭ（リードオンリメモリ）５０９に記憶されているプログラム及び操作表示装置制御部５１１を介して受け付けられた設定情報などに従って、制御部をコントロールする。制御部とは、原稿給送装置制御部５０３、イメージリーダ制御部５０４、画像信号制御部５０５、プリンタ制御部５０６、スタッカ制御部５１２、ＨＤＤ（ハードディスクドライブ）Ｉ／Ｆ５１３、ネットワークＩ／Ｆ５１４である。
原稿給送装置制御部５０３は、自動原稿搬送装置３０１を制御する。イメージリーダ制御部５０４は、スキャナ３０２を制御する。プリンタ制御部５０６は、感光ドラム３０４、定着器３０８、給紙カセット３１７等を制御する。スタッカ制御部５１２は、大容量スタッカ２０３を制御する。
【００２７】
ＨＤＤ  Ｉ／Ｆ５１３は、ＨＤＤ５１５とのインタフェースであり、ＨＤＤ５１５に対する書き込みや読み出しを制御する。ＨＤＤ５１５は、大容量の記憶装置であり、不揮発性のデータを保存する領域である。ネットワークＩ／Ｆ５１４は、ネットワーク１０３を介したデータの送受信を制御する。
ＲＡＭ（ランダムアクセスメモリ）５１０は、制御データを一時的に保持する領域や、制御に伴う演算の作業領域として用いられる。ネットワークＩ／Ｆ５１４は、ネットワーク１０３を介して情報処理装置１０２と接続されている。
【００２８】
なお、イメージリーダ制御部５０４から画像信号制御部５０５へはスキャナ３０２で読み取られた画像が出力される。そして、画像信号制御部５０５からプリンタ制御部５０６へ出力された画像については画像形成され、給紙カセット３１７などから給紙したシート材に印刷される。
その後、印刷されたシート材は、ユーザにより指定された出力形態に応じて後処理が施される。ここでの後処理とは、スタッカ制御部５１２により施される処理である。例えば、シート材が大容量スタッカ２０３に排紙される場合は、スタッカ制御部５１２が後処理を行う。例えば、スタッカ制御部５１２は、指定されている排紙先に応じて、エスケープトレイ４０４やスタックトレイ４０５にシート材を排紙する制御を行う。
【００２９】
操作表示装置制御部５１１は、操作パネル３２３とＣＰＵ回路部５０７との間で情報のやり取りを行う。操作パネル３２３は、画像形成に関する各種の設定値を入力する複数のキー、設定状態を示す情報を表示するための表示部などを有する。操作表示装置制御部５１１は、各キーの操作に対応するキー信号をＣＰＵ回路部５０７に出力するとともに、ＣＰＵ回路部５０７からの信号に従って、対応する情報を表示部に表示させる。
【００３０】
図６は、情報処理装置１０２のハードウェア構成の一例を示す図である。
ＣＰＵ６０１は、ＲＯＭ６０７、ＨＤＤ６０９、及びＣＤＤ（コンパクトディスクドライブ）６０６に格納された制御プログラムに基づいてＣＰＵ６０１に接続された各デバイスを制御する。
表示装置６０２は、液晶ディスプレイ等であり、その表示画面には、例えばウィンドウ、アイコン、メッセージ、メニューその他のユーザインターフェース情報が表示される。ＶＲＡＭ（ビデオランダムアクセスメモリ）６０３は、表示装置６０２に表示するための画像データを生成する。ＶＲＡＭ６０３で生成された画像データは、所定の規定に従って表示装置６０２に転送され、これにより表示装置６０２に画像が表示される。
【００３１】
キーボード６０４は、文字等の入力を行うための各種キーを有する。ＰＤ（ポインティングデバイス）６０５は、例えば、表示装置６０２の表示画面上に表示されたアイコン、メニューその他のオブジェクトを指示するために使用される。ＣＤＤ６０６は、ＣＤ−ＲＯＭ、ＣＤ−Ｒなどの記録メディアとの間で各種の制御プログラムやデータの読み書きを行う装置である。なお、ＣＤＤ６０６に加えて又は代えて、ＤＶＤドライブを採用してもよい。
ＲＯＭ６０７は、各種の制御プログラムやデータを保持する。ＲＡＭ６０８は、ＣＰＵ６０１のワーク領域、エラー処理時のデータの退避領域、制御プログラムのロード領域等を有する。
【００３２】
例えば、情報処理装置１０２は、電子データをＲＩＰ処理して画像形成装置１０１へ送信する機能を有している。そのプログラムは、ＲＯＭ６０７に格納されており、ＲＩＰ処理を行う際にはＣＰＵ６０１のワーク領域やＲＡＭ６０８が利用されて実行される。
内部記録装置としてのＨＤＤ６０９は、各種の制御プログラムや各種のデータを保存する。外部記録Ｉ／Ｆ６１０は、ＵＳＢメモリなどの外部記録媒体への読み書きを行う装置である。
ネットワークＩ／Ｆ（Ｎｅｔ−Ｉ／Ｆ）６１１は、ネットワーク１０３を介して、画像形成装置１０１とデータの送受信を行う。ＣＰＵバス６１３は、アドレスバス、データバス、及びコントロールバスを含む。なお、ＣＰＵ６０１に対する制御プログラムの提供は、ＣＤＤ６０６、ＲＯＭ６０７、ＨＤＤ６０９などから行うことができる。
【００３３】
図７は、画像形成装置１０１及び情報処理装置１０２のソフトウェア構成の一例を示す図である。
ＵＩ処理部７０１、機器制御部７０２、受信処理部７０３、及びネットワークＩ／Ｆ制御部７０４は、画像形成装置１０１のＣＰＵ回路部５０７にてプログラムが実行されることで実現されるソフトウェアである。即ち、ＣＰＵ回路部５０７が、ＲＯＭ５０９などに格納されたプログラムの手順に従って処理を行うことによって、画像形成装置１０１における機能、後述する画面に係る処理、及び後述するフローチャートに係る処理が実現される。
ＵＩ処理部７０１は、画像形成装置１０１の操作パネル３２３に表示する内容やキー入力を制御することで、ユーザとのインタフェース処理を行う。例えば、ＵＩ処理部７０１は、画像形成装置１０１に関する設定項目の値を受け付ける場合、操作表示装置制御部５１１を制御することで、操作パネル３２３に設定項目に係る画面を表示する。更に、ＵＩ処理部７０１は、前記画面で設定項目に対して指定された値（設定値）を保存する場合、ＨＤＤ  Ｉ／Ｆ５１３を制御することでＨＤＤ５１５に設定値を保存する。
【００３４】
機器制御部７０２は、画像形成装置１０１における印刷や機器情報設定管理などの処理を行う。受信処理部７０３は、情報処理装置１０２によりＲＩＰ処理された画像（ＲＩＰ画像）を、ネットワークＩ／Ｆ制御部７０４を通じて受信し、ページ単位で機器制御部７０２に渡す処理を行う。
ネットワークＩ／Ｆ制御部７０４は、ネットワークＩ／Ｆ制御部７０８と連携し、ネットワーク１０３を通じて、画像形成装置１０１と情報処理装置１０２との間のデータ通信処理を行う。
【００３５】
ＵＩ処理部７０５、ジョブ制御部７０６、送信処理部７０７、ネットワークＩ／Ｆ制御部７０８、及びＲＩＰ処理部７０９は、情報処理装置１０２のＣＰＵ６０１にてプログラムが実行されることで実現されるソフトウェアである。即ち、ＣＰＵ６０１が、ＲＯＭ６０７などに格納されたプログラムの手順に従って処理を行うことによって、情報処理装置１０２における機能及び後述する画面に係る処理が実現される。
ＵＩ処理部７０５は、情報処理装置１０２の表示装置６０２にジョブ管理アプリケーションにおける各種の画面を表示する処理や、ジョブ管理アプリケーションにより受け付けられるジョブ設定情報をジョブ制御部７０６に渡す処理を行う。
ジョブ制御部７０６は、画像形成装置１０１に対する印刷ジョブの処理を行う。送信処理部７０７は、ＲＩＰ画像を、ページ単位で、ネットワークＩ／Ｆ制御部７０８を通じて画像形成装置１０１へ渡す処理を行う。ネットワークＩ／Ｆ制御部７０８は、ネットワークＩ／Ｆ制御部７０４と連携し、ネットワーク１０３を通じて、画像形成装置１０１と情報処理装置１０２との間のデータ通信処理を行う。
【００３６】
本実施形態では、例えば、ＲＩＰ画像を画像形成装置１０１で印刷する場合は、以下の処理が行われる。
まず、ジョブ制御部７０６は、電子データをＲＩＰ処理部７０９にてレンダリングし、送信処理部７０７を通じてＲＩＰ画像を画像形成装置１０１に送信する。更に、ジョブ制御部７０６は、ＲＩＰ画像の送信に合わせて、ネットワークＩ／Ｆ制御部７０８を通じてジョブ設定情報を画像形成装置１０１に送信する。
次に、機器制御部７０２は、受信処理部７０３を通じてＲＩＰ画像を受け取り、その画像データを画像信号制御部５０５へ渡すとともに、ネットワークＩ／Ｆ制御部７０４を通じてジョブ設定情報を受信する。
続いて、機器制御部７０２は、ジョブ設定情報を元に、プリンタ制御部５０６に対して排紙先や給紙カセットに関する指示を出すと共に、画像信号制御部５０５に対して画像データをプリンタ制御部５０６に渡すように指示する。このとき、機器制御部７０２は、ユーザから確認プリントの要求があった場合に備えて、画像データをＨＤＤ５１５に一時保存しておき、ジョブの完了など、画像データを一時保存する必要がなくなった段階でＨＤＤ５１５から画像データを削除する。
【００３７】
図８は、画像形成装置１０１に表示される、用紙種類を登録する登録画面の一例を示す図である。用紙種類の登録は、画像形成装置１０１の全ての給紙ユニット（給紙カセット３１７、給紙カセット３１８、手差しトレイ３２０、外部給紙装置２０１）に対して行われ、現在、給紙されている（セットされている）用紙種類を登録することができる。
リスト８０１には、登録可能な複数種類の用紙（シート材の一例）が示ざれている。図８では、登録可能な用紙として、上用紙の一例であるノーカーボン紙（ＣＢ）、中用紙の一例であるノーカーボン紙（ＣＦＢ）、下用紙の一例であるノーカーボン紙（ＣＦ）、普通紙、及び厚紙が示されている。
キャンセルボタン８０２は、登録が指示されている内容を破棄するためのボタンであり、キャンセルボタン８０２が押下されると、登録途中の内容が破棄される。また、ＯＫボタン８０３は、指示されている内容を登録するためのボタンであり、ＯＫボタン８０３が押下されると、用紙種類の登録が反映される（例えば、給紙ユニットと用紙の種類とが対応付けられた情報がＨＤＤ５１５に記憶される）。
【００３８】
図９は、情報処理装置１０２に表示される、ジョブを管理するジョブ管理画面の一例を示す図である。なお、図９〜図１２に示す画面は、ジョブ管理アプリケーションにおける画面の一例である。
ジョブ管理画面において、名称バー９０１は、ジョブ管理アプリケーションの名称を表す領域である。終了ボタン９０２は、ジョブ管理アプリケーションを終了する際に押下される。終了ボタン９０２が押下されると、ジョブ管理アプリケーションは終了する。
アクティブジョブウィンドウ９０３は、情報処理装置１０２が保持している印刷ジョブ（以下ではジョブと適宜称する。）を一覧表示するウィンドウである。ジョブ管理画面においては、名称「契約.pdf」のジョブが、情報処理装置１０２に保持されている。
【００３９】
また、アクティブジョブウィンドウ９０３に表示されているジョブは、ジョブを右クリックすることで、「印刷」と「印刷設定」とを実行するプロパティ９０５が表示される。ここで、「印刷」が選択されると、ジョブの印刷が実行される。また、「印刷設定」が選択されると、印刷設定項目の値を変更することが可能である。その詳細は、図１０〜図１２を用いて説明する。
ジョブ履歴ウィンドウ９０４は、印刷が完了したジョブ（ジョブ履歴）を表示するウィンドウである。ジョブ管理画面においては、名称「見積り.pdf」のジョブがジョブ履歴として表示されている。なお、ジョブ履歴ウィンドウ９０４に表示されているジョブについては、アクティブジョブウィンドウ９０３に表示されているジョブと異なり、印刷設定項目の値の変更や印刷の実行はできない。
【００４０】
図１０は、情報処理装置１０２に表示される印刷設定画面の一例を示す図である。印刷設定画面は、「印刷設定」を実行するプロパティ９０５が選択されることを契機に表示装置６０２に表示される。
印刷設定画面において、タグ１００１は、印刷設定項目を種類によってグループ化したタグであり、「一般」、「ジョブ情報」、「用紙」、「レイアウト」、「仕上げ」の５種類により構成される。また、印刷設定画面では、「用紙」の印刷設定項目が表示されている。
「用紙」は、用紙に関する印刷設定項目をまとめたタグであり、「用紙」では、ジョブが使う用紙に係る印刷設定項目を指定することができる。
用紙種類１００２は、ジョブ全体の用紙種類を指定するプルダウンメニューである。例えば、用紙種類１００２には、自動選択、ノーカーボン紙（ＣＢ）などが指定可能に表示される。用紙種類１００２が指定された場合、ジョブの全ページが、指定された用紙種類の用紙が用いられて印刷される。
【００４１】
用紙トレイ１００３は、ジョブ全体の用紙トレイを指定するプルダウンメニューである。例えば、用紙トレイ１００３には、自動選択、カセット１、手指しなどが指定可能に表示される。用紙トレイ１００３が指定された場合、ジョブの全ページが、指定された用紙トレイに給紙された用紙が用いられて印刷される。
用紙サイズ１００４は、ジョブ全体の用紙サイズを指定するプルダウンメニューである。例えば、用紙サイズ１００４には、Ａ３、Ａ４、Ｂ４、Ｂ５、ＬＴＲなどが指定可能に表示される。ジョブの全ページは、用紙サイズ１００４で指定された用紙サイズで印刷される。
【００４２】
用紙の混合ボタン１００５は、ジョブ全体を同じ用紙種類、用紙サイズ、用紙トレイで印刷したくない場合に押下される。用紙の混合ボタン１００５が押下されると、図１１に示すような用紙の混合設定画面が表示される。
ＯＫボタン１００６は、印刷設定画面で指定された内容を反映するボタンである。なお、ＯＫボタン１００６の押下後、印刷設定画面は閉じられる。キャンセルボタン１００７は、印刷設定画面で指定された内容を破棄するボタンである。なお、キャンセルボタン１００７の押下後、印刷設定画面は閉じられる。
【００４３】
図１１は、情報処理装置１０２に表示される用紙の混合設定画面の一例を示す図である。
用紙の混合設定画面において、混合設定表示部１１０１は、混合設定情報を表示する領域である。より具体的には、混合設定表示部１１０１には、１〜５ページ目のそれぞれに、用紙の印刷設定項目（用紙の種類、用紙トレイ、用紙サイズ）の指定が行われている内容が表示されている。
ページ範囲定義ボタン１１０２は、用紙の印刷設定項目の指定を新たに行う際に押下されるボタンであり、ページ範囲定義ボタン１１０２が押下されると、図１２に示すようなページ範囲定義画面が表示される。ページ範囲定義画面で指定された値が、用紙の混合設定表示部１１０１に反映される（例えば、指定された値が混合設定情報としてＲＡＭ６０８に記憶される）。
【００４４】
編集ボタン１１０３は、設定済みの内容（混合設定情報）を編集する際に押下される。ユーザは、混合設定表示部１１０１から混合設定情報を１つ選択し、編集ボタン１１０３を押下することで、選択した混合設定情報を編集することができる。
削除ボタン１１０４は、混合設定情報を削除する際に押下される。混合設定表示部１１０１から混合設定情報を１つ選択し、削除ボタン１１０４を押下することで、選択した混合設定情報を削除することができる。
ＯＫボタン１１０５は、混合設定表示部１１０１の混合設定情報を保存するボタンである。なお、ＯＫボタン１１０５が押下されると、例えば混合設定表示部１１０１（ＲＡＭ６０８）の混合設定情報がジョブ設定情報に含められ（より広義にはＨＤＤ６０９などに記憶され）、印刷設定画面に戻る。キャンセルボタン１１０６は、混合設定表示部１１０１の混合設定情報を破棄するボタンである。なお、キャンセルボタン１１０６が押下されると、印刷設定画面に戻る。
【００４５】
図１２は、情報処理装置１０２に表示されるページ範囲定義画面の一例を示す図である。
ページ範囲定義画面において、入力ボックス１２０１は、ページ範囲の入力を受け付ける。ページ範囲の入力ボックス１２０１で入力されたページを対象に、用紙種類１２０２、用紙トレイ１２０３、用紙サイズ１２０４が指定される。
用紙種類１２０２は、用紙種類を指定するプルダウンメニューである。例えば、用紙種類１２０２には、自動選択、ノーカーボン紙（ＣＢ）などの用紙種類が指定可能に表示される。用紙トレイ１２０３は、用紙トレイを指定するプルダウンメニューである。例えば、用紙トレイ１２０３には、自動選択、トレイ１、手指しなどの用紙トレイが指定可能に表示される。用紙サイズ１２０４は、用紙サイズを指定するプルダウンメニューである。例えば、用紙サイズ１２０４には、Ａ３、Ａ４、Ｂ４、Ｂ５、ＬＴＲなどの用紙サイズが指定可能に表示される。
【００４６】
ＯＫボタン１２０５は、ページ範囲定義画面で指定された値を保存するボタンである（例えば、指定された値が混合設定情報としてＲＡＭ６０８に記憶される）。なお、ＯＫボタン１２０５が押下されると、用紙の混合設定画面に戻る。
キャンセルボタン１２０６は、ページ範囲定義画面で指定されている値を破棄するボタンである。なお、キャンセルボタン１２０６が押下されると、用紙の混合設定画面に戻る。
例えば、ユーザは、ノーカーボン紙（ＣＢ）、ノーカーボン紙（ＣＦＢ）、及びノーカーボン紙（ＣＦ）を印刷に用いる場合、ページ範囲定義画面で各ページに対して指定した印刷設定項目の値を用紙の混合設定画面で確認することができる。
【００４７】
図１３は、画像形成装置１０１に表示されるジョブ状況画面の一例を示す図である。
ジョブ状況画面において、ジョブ状況表示部１３０１は、ジョブ状況（受付番号、受付時刻、ジョブ名、状況）を表示する領域である。ジョブ状況画面では、ジョブ状況表示部１３０１においては、２つのジョブに対してそれぞれのジョブ状況が示されている。
詳細情報ボタン１３０２は、ジョブの詳細情報を表示する際に押下されるボタンである。詳細情報ボタン１３０２が押下されると、印刷済みページ数など、ジョブ状況表示部１３０１では表示していない詳細情報が表示される（不図示）。
中止ボタン１３０３は、ジョブを中止したい場合に押下される。ジョブ状況表示部１３０１から中止したいジョブが選択され、その後、中止ボタン１３０３が押下されることで、選択されたジョブが中止される。
【００４８】
確認プリントボタン１３０４は、確認プリントを実行する場合に押下される。ジョブ状況表示部１３０１から確認プリントするジョブが選択され、その後、確認プリントボタン１３０４が押下されると、図１４に示すような確認プリント画面が表示される。
ただし、確認プリントボタン１３０４が押下可能となるには、選択されたジョブがプリント中であることが必要である。仮に、プリント中ではないジョブが選択された場合、確認プリントボタン１３０４がグレイアウト処理され、確認プリントボタン１３０４が押下できない仕組みとなっている。
【００４９】
図１４は、画像形成装置１０１に表示される確認プリント画面の一例を示す図である。
確認プリント画面において、全ページボタン１４０１、１枚（自動）ボタン１４０２、ノーカーボン紙確認プリントボタン１４０３は、確認プリントの種類を選択するボタンである。何れかのボタンが１つ選択された場合、他のボタンを選択できない仕組みとなっている。
キャンセルボタン１４０４は、確認プリントを実行しない場合に押下されるボタンである。キャンセルボタン１４０４が押下されると、ジョブ状況画面に戻る。
プリント開始ボタン１４０５は、確認プリントを実行する場合に押下されるボタンである。プリント開始ボタン１４０５が押下されると、選択された確認プリントの種類に応じた確認プリントの処理が実行され、自動的にジョブ状況画面に戻る。
【００５０】
より具体的には、全ページボタン１４０１の選択後、プリント開始ボタン１４０５が押下されると、画像形成装置１０１は、印刷ジョブの１部相当分を確認プリントとして出力する。例えば、１０ページで１００部の印刷ジョブの場合、１０ページが確認プリントとして出力される。
また、１枚（自動）ボタン１４０２の選択後、プリント開始ボタン１４０５が押下されると、プリント開始ボタン１４０５の押下タイミングに応じて、印刷ジョブの任意の１ページが確認プリントとして出力される。例えば、１０ページで１００部の印刷ジョブの場合は、１〜１０ページ目の何れかのページが確認プリントとして出力される。
また、ノーカーボン紙確認プリントボタン１４０３の選択後、プリント開始ボタン１４０５が押下されると、後述するノーカーボン紙確認プリント処理が実行される。
【００５１】
以下では、確認プリントの対象ページのノーカーボン紙と共に、最低限必要な複写確認用のノーカーボン紙を出力する構成（出力制御方法の一例）について説明する。
図１５は、画像形成装置１０１にて実行される確認プリントの処理に係るフローチャートの一例を示す図である。
Ｓ１５０１では、機器制御部７０２は、情報処理装置１０２上のジョブ管理アプリケーションを介してユーザが印刷を開始するまで待機する。より具体的には、ユーザが印刷を開始する旨のＰＤ６０５等の操作に応答して、ジョブ制御部７０６は、機器制御部７０２にジョブ設定情報とＲＩＰ画像とを送信する。機器制御部７０２は、ジョブ設定情報とＲＩＰ画像とを受信した段階で、印刷ジョブを受信したと判断し、Ｓ１５０２の処理を行う。Ｓ１５０２では、機器制御部７０２は、ジョブ設定情報とＲＩＰ画像とを用いて印刷を開始する。
【００５２】
Ｓ１５０３では、機器制御部７０２は、確認プリントの実行が要求されたか否かを判断する。このとき、機器制御部７０２は、要求されたと判断した場合、Ｓ１５０４の処理を行い、要求されていないと判断した場合、処理を終了する。
例えば、ユーザが確認プリントを実行する場合、操作パネル３２３に表示されたジョブ状況画面から印刷中のジョブを選択し、確認プリントボタン１３０４を押下する操作（ユーザ操作の一例）が行われる。そうすると、操作パネル３２３に確認プリント画面が表示されるので、ユーザは、全ページボタン１４０１、１枚（自動）ボタン１４０２、ノーカーボン紙確認プリントボタン１４０３の何れかを選択し、プリント開始ボタン１４０５を押下する。
そして、Ｓ１５０３において、ＵＩ処理部７０１は、選択された確認プリントの種類と確認プリントの実行の指示とを、機器制御部７０２へ通知する。
【００５３】
Ｓ１５０４では、機器制御部７０２は、選択された確認プリントがノーカーボン紙確認プリントであるか否かを判断する。このとき、機器制御部７０２は、ノーカーボン紙確認プリントであると判断した場合、Ｓ１５０５の処理を行い、ノーカーボン紙確認プリントでないと判断した場合、Ｓ１５０６の処理を行う。
Ｓ１５０５では、機器制御部７０２は、ノーカーボン紙確認プリント処理を実行する。この処理の詳細については図１６を用いて説明する。そして、機器制御部７０２は、Ｓ１５０５の処理が完了すると、処理を終了する。
【００５４】
Ｓ１５０６では、機器制御部７０２は、選択された確認プリントが全ページ確認プリントであるか否かを判断する。このとき、機器制御部７０２は、全ページ確認プリントであると判断した場合、Ｓ１５０７の処理を行い、全ページ確認プリントでないと判断した場合、Ｓ１５０８の処理を行う。
Ｓ１５０７では、機器制御部７０２は、ジョブ設定情報とＲＩＰ画像とを元に、１部を確認プリントとしてエスケープトレイ４０４に出力する。そして、機器制御部７０２は、Ｓ１５０７の処理が完了すると、処理を終了する。
Ｓ１５０８では、機器制御部７０２は、現在印刷しているページ（以後、確認プリント対象ページと表記する。）と同じページを確認プリントとしてエスケープトレイ４０４に出力する。そして、機器制御部７０２は、Ｓ１５０８の処理が完了すると、処理を終了する。
【００５５】
図１６は、ノーカーボン紙確認プリント処理に係るフローチャートの一例を示す図である。
Ｓ１６０１では、機器制御部７０２は、確認プリント対象ページの記録媒体がノーカーボン紙であるか否かを判断する。このとき、機器制御部７０２は、ノーカーボン紙であると判断した場合、Ｓ１６０２の処理を行い、ノーカーボン紙でないと判断した場合、処理を終了する。
Ｓ１６０２では、機器制御部７０２は、確認プリント対象ページの記録媒体がノーカーボン紙（ＣＢ）であるか否かを判断する。このとき、機器制御部７０２は、ノーカーボン紙（ＣＢ）であると判断した場合、Ｓ１６０３の処理を行い、ノーカーボン紙（ＣＢ）でないと判断した場合、Ｓ１６０５の処理を行う。
Ｓ１６０３では、機器制御部７０２は、確認プリント対象ページをノーカーボン紙（ＣＢ）に印刷してエスケープトレイ４０４に出力した後、Ｓ１６０４の処理を行う。Ｓ１６０４では、複写確認用のノーカーボン紙を出力するため、機器制御部７０２は、ジョブ設定情報を元に、確認プリント対象ページの直後にノーカーボン紙（ＣＦ）に印刷するページを特定する。そして、そのページのＲＩＰ画像をノーカーボン紙（ＣＦ）に印刷し、エスケープトレイ４０４に出力し、処理を終了する。
【００５６】
Ｓ１６０５では、機器制御部７０２は、確認プリント対象ページの記録媒体がノーカーボン紙（ＣＦＢ）であるか否かを判断する。このとき、機器制御部７０２は、ノーカーボン紙（ＣＦＢ）であると判断した場合、Ｓ１６０６の処理を行い、ノーカーボン紙（ＣＦＢ）でないと判断した場合、Ｓ１６０９の処理を行う。
Ｓ１６０６では、複写確認用のノーカーボン紙を出力するため、機器制御部７０２は、ジョブ設定情報を元に、確認プリント対象ページの直前にノーカーボン紙（ＣＢ）に印刷したページを特定する。そして、機器制御部７０２は、そのページのＲＩＰ画像をノーカーボン紙（ＣＢ）に印刷し、エスケープトレイ４０４に出力し、Ｓ１６０７の処理を行う。
Ｓ１６０７では、機器制御部７０２は、確認プリント対象ページをノーカーボン紙（ＣＦＢ）に印刷してエスケープトレイ４０４に出力した後、Ｓ１６０８の処理を行う。Ｓ１６０８では、機器制御部７０２は、ジョブ設定情報を元に、確認プリント対象ページの直後にノーカーボン紙（ＣＦ）に印刷するページを特定する。そして、機器制御部７０２は、そのページのＲＩＰ画像をノーカーボン紙（ＣＦ）に印刷し、エスケープトレイ４０４に出力し、処理を終了する。
【００５７】
Ｓ１６０９では、複写確認用のノーカーボン紙を出力するため、機器制御部７０２は、ジョブ設定情報を元に、確認プリント対象ページの直前にノーカーボン紙（ＣＢ）に印刷したページを特定する。そして、機器制御部７０２は、そのページのＲＩＰ画像をノーカーボン紙（ＣＢ）に印刷し、エスケープトレイ４０４に出力し、Ｓ１６１０の処理を行う。
Ｓ１６１０では、機器制御部７０２は、確認プリント対象ページをノーカーボン紙（ＣＦ）に印刷し、エスケープトレイ４０４に出力し、処理を終了する。
【００５８】
図１７は、ノーカーボン紙確認プリント処理の結果の一例を示した図である。
図１７（ａ）は、確認プリント対象ページの記録媒体がノーカーボン紙（ＣＢ）であった場合の例を示す。この例では、確認プリント対象ページが印刷されたノーカーボン紙（ＣＢ）の後ろに、複写確認用のノーカーボン紙であるノーカーボン紙（ＣＦ）が出力されている。
図１７（ｂ）は、確認プリント対象ページの記録媒体がノーカーボン紙（ＣＦＢ）であった場合の例を示す。この例では、最初に、複写確認用のノーカーボン紙であるノーカーボン紙（ＣＢ）、次に、確認プリント対象ページが印刷されたノーカーボン紙（ＣＦＢ）、最後に、複写確認用のノーカーボン紙であるノーカーボン紙（ＣＦ）が出力されている。
図１７（ｃ）は、確認プリント対象ページの記録媒体がノーカーボン紙（ＣＦ）であった場合の例を示す。この例では、最初に、複写確認用のノーカーボン紙であるノーカーボン紙（ＣＢ）、次に、確認プリント対象ページが印刷されたノーカーボン紙（ＣＦ）が出力されている。
【００５９】
つまり、本実施形態によれば、図１７（ａ）、図１７（ｂ）、図１７（ｃ）で示したように、何れの場合も、ノーカーボン紙の複写が確認できる順番で、かつ、確認の用に供する最低枚数のノーカーボン紙を自動的に出力することができる。そのため、複写確認用のノーカーボン紙を無駄に出力しないで済む利点がある。
また、上述した構成によれば、確認プリント時のノーカーボン紙の種類に応じて、適切な複写確認用のノーカーボン紙が自動的に出力される。そのため、ユーザが複写確認用のノーカーボン紙を用意する手間を省くことができる。
【００６０】
＜第２の実施形態＞
第２の実施形態では、ジョブで用いられるノーカーボン紙の種類に応じて、確認プリント対象ページのノーカーボン紙と共に、複写確認用のノーカーボン紙を出力する。本実施形態では、第１の実施形態と同一の構成については同一の符号を用いて説明を適宜省略する。
第２の実施形態について図１８及び図１９を用いて説明する。なお、図１８及び図１９は、第１の実施形態での図１６に置き換わるものである。
【００６１】
図１８及び図１９は、ノーカーボン紙確認プリント処理に係るフローチャートの一例を示す図である。
Ｓ１８０１では、機器制御部７０２は、確認プリント対象ページの記録媒体がノーカーボン紙であるか否かを判断する。このとき、機器制御部７０２は、ノーカーボン紙であると判断した場合、Ｓ１８０２の処理を行い、ノーカーボン紙でないと判断した場合、処理を終了する。
Ｓ１８０２では、機器制御部７０２は、ジョブ設定情報を元に、ジョブが使用するノーカーボン紙の種類を解析する。その結果、機器制御部７０２は、ノーカーボン紙（ＣＢ）、ノーカーボン紙（ＣＦＢ）、ノーカーボン紙（ＣＦ）の全てを使用するジョブであると識別した場合、Ｓ１８０３の処理を行う。他方、機器制御部７０２は、全ては使用しないジョブであると識別した場合、図１９に示すＳ１８１４の処理を行う。
【００６２】
Ｓ１８０３では、機器制御部７０２は、確認プリント対象ページの記録媒体がノーカーボン紙（ＣＢ）であるか否かを判断する。このとき、機器制御部７０２は、ノーカーボン紙（ＣＢ）であると判断した場合、Ｓ１８０４の処理を行い、ノーカーボン紙（ＣＢ）でないと判断した場合、Ｓ１８０７の処理を行う。
Ｓ１８０４では、機器制御部７０２は、確認プリント対象ページをノーカーボン紙（ＣＢ）に印刷してエスケープトレイ４０４に出力し、Ｓ１８０５の処理を行う。
【００６３】
Ｓ１８０５では、複写確認用のノーカーボン紙を出力するため、機器制御部７０２は、ジョブ設定情報を元に、確認プリント対象ページの直後にノーカーボン紙（ＣＦＢ）に印刷するページを特定する。そして、機器制御部７０２は、そのページのＲＩＰ画像をノーカーボン紙（ＣＦＢ）に印刷し、エスケープトレイ４０４に出力し、Ｓ１８０６の処理を行う。
Ｓ１８０６では、複写確認用のノーカーボン紙を出力するため、機器制御部７０２は、ジョブ設定情報を元に、確認プリント対象ページの直後にノーカーボン紙（ＣＦ）に印刷するページを特定する。そして、機器制御部７０２は、そのページのＲＩＰ画像をノーカーボン紙（ＣＦ）に印刷し、エスケープトレイ４０４に出力し、処理を終了する。
【００６４】
Ｓ１８０７では、機器制御部７０２は、確認プリント対象ページの記録媒体がノーカーボン紙（ＣＦＢ）であるか否かを判断する。このとき、機器制御部７０２は、ノーカーボン紙（ＣＦＢ）であると判断した場合、Ｓ１８０８の処理を行い、ノーカーボン紙（ＣＦＢ）でないと判断した場合、Ｓ１８１１の処理を行う。
Ｓ１８０８では、複写確認用のノーカーボン紙を出力するため、機器制御部７０２は、ジョブ設定情報を元に、確認プリント対象ページの直前にノーカーボン紙（ＣＢ）に印刷したページを特定する。そして、機器制御部７０２は、そのページのＲＩＰ画像をノーカーボン紙（ＣＢ）に印刷してエスケープトレイ４０４に出力し、Ｓ１８０９の処理を行う。
Ｓ１８０９では、機器制御部７０２は、確認プリント対象ページをノーカーボン紙（ＣＦＢ）に印刷してエスケープトレイ４０４に出力し、Ｓ１８１０の処理を行う。
Ｓ１８１０では、複写確認用のノーカーボン紙を出力するため、機器制御部７０２は、ジョブ設定情報を元に、確認プリント対象ページの直後にノーカーボン紙（ＣＦ）に印刷するページを特定する。そして、機器制御部７０２は、そのページのＲＩＰ画像をノーカーボン紙（ＣＦ）に印刷し、エスケープトレイ４０４に出力し、処理を終了する。
【００６５】
Ｓ１８１１では、複写確認用のノーカーボン紙を出力するため、機器制御部７０２は、ジョブ設定情報を元に、確認プリント対象ページの直前にノーカーボン紙（ＣＢ）に印刷したページを特定する。そして、機器制御部７０２は、そのページのＲＩＰ画像をノーカーボン紙（ＣＢ）に印刷し、エスケープトレイ４０４に出力し、Ｓ１８１２の処理を行う。
Ｓ１８１２では、複写確認用ノーカーボン紙を出力するため、機器制御部７０２は、ジョブ設定情報を元に、Ｓ１８１１で出力したページの直後にノーカーボン紙（ＣＦＢ）に印刷したページを特定する。そして、機器制御部７０２は、そのページのＲＩＰ画像をノーカーボン紙（ＣＦＢ）に印刷し、エスケープトレイ４０４に出力し、Ｓ１８１３の処理を行う。
Ｓ１８１３では、機器制御部７０２は、確認プリント対象ページをノーカーボン紙（ＣＦ）に印刷してエスケープトレイ４０４に出力し、処理を終了する。
【００６６】
Ｓ１８１４では、機器制御部７０２は、ジョブ設定情報を元に、ジョブが使用するノーカーボン紙の種類を解析する。その結果、機器制御部７０２は、ノーカーボン紙（ＣＢ）及びノーカーボン紙（ＣＦ）の全てを使用するジョブであると識別した場合、Ｓ１８１５の処理を行い、全てを使用するジョブではないと識別した場合、処理を終了する。
Ｓ１８１５では、機器制御部７０２は、確認プリント対象ページの記録媒体がノーカーボン紙（ＣＢ）であるか否かを判断する。このとき、ノーカーボン紙（ＣＢ）であると判断した場合、Ｓ１８１６の処理を行い、ノーカーボン紙（ＣＢ）でないと判断した場合、Ｓ１８１８の処理を行う。
【００６７】
Ｓ１８１６では、機器制御部７０２は、確認プリント対象ページをノーカーボン紙（ＣＢ）に印刷してエスケープトレイ４０４に出力し、Ｓ１８１７の処理を行う。
Ｓ１８１７では、複写確認用のノーカーボン紙を出力するため、機器制御部７０２は、ジョブ設定情報を元に、確認プリント対象ページの直後にノーカーボン紙（ＣＦ）に印刷するページを特定する。そして、機器制御部７０２は、そのページのＲＩＰ画像をノーカーボン紙（ＣＦ）に印刷し、エスケープトレイ４０４に出力し、処理を終了する。
Ｓ１８１８では、複写確認用のノーカーボン紙を出力するため、機器制御部７０２は、ジョブ設定情報を元に、確認プリント対象ページの直前にノーカーボン紙（ＣＢ）に印刷するページを特定する。そして、機器制御部７０２は、そのページのＲＩＰ画像をノーカーボン紙（ＣＢ）に印刷し、エスケープトレイ４０４に出力し、Ｓ１８１９の処理を行う。
Ｓ１８１９では、機器制御部７０２は、確認プリント対象ページをノーカーボン紙（ＣＦ）に印刷してエスケープトレイ４０４に出力し、処理を終了する。
【００６８】
図２０は、ノーカーボン紙確認プリント処理の結果の一例を示した図である。
図２０の左側には、ジョブ（印刷ジョブ）を示し、右側には、確認プリント処理の結果を示している。なお、ジョブは、簡易的に示しており、上段は、ノーカーボン紙（ＣＢ）×１枚、ノーカーボン紙（ＣＦＢ）×２枚、ノーカーボン紙（ＣＦ）×１枚が繰り返されるジョブを表している。他方、下段は、ノーカーボン紙（ＣＢ）×１枚、ノーカーボン紙（ＣＦ）×１枚が繰り返されるジョブを表している。
【００６９】
図２０（ａ）は、ノーカーボン紙（ＣＢ）×１枚、ノーカーボン紙（ＣＦＢ）×２枚、ノーカーボン紙（ＣＦ）×１枚が繰り返されるジョブに対して、１、２、４ページ目の何れかが確認プリント対象ページであった場合の結果を示している。
図２０（ｂ）は、ノーカーボン紙（ＣＢ）×１枚、ノーカーボン紙（ＣＦＢ）×２枚、ノーカーボン紙（ＣＦ）×１枚が繰り返されるジョブに対して、３ページ目が確認プリント対象ページであった場合の結果を示している。図２０（ａ）との違いは、この例では、３ページ目が確認プリント対象ページであるため、確認プリントの出力に３ページ目がノーカーボン紙（ＣＦＢ）に印刷されている。
【００７０】
図２０（ｃ）は、ノーカーボン紙（ＣＢ）×１枚、ノーカーボン紙（ＣＦ）×１枚が繰り返されるジョブに対して、１ページ目、又は２ページ目が、確認プリント対象ページであった場合の結果を示している。
このように、本実施形態によれば、ノーカーボン紙の複写の確認ができる順番、かつ、ジョブで用いられる全種類のノーカーボン紙が自動的に出力される。そのため、給紙カセットにノーカーボン紙の表裏を間違ってセットしてしまった場合でも、一度、複写の確認をしてしまえば、間違いに気が付くことができるので、ジョブが完了した後に間違いに気が付いてノーカーボン紙を無駄にするリスクを低減できる。
【００７１】
＜第３の実施形態＞
本実施形態では、複写確認用のノーカーボン紙を白紙で出力する。本実施形態では、画像形成装置１０１は、課金用のカウンタを具備しており、１ページ印刷する毎に課金カウンタをカウントアップする。ただし、印刷ページが白紙であるときは課金カウンタをカウントアップしない。本処理は、機器制御部７０２にて実行される。その他については、第１の実施形態と同様であるので説明は省略する。
次に、本実施形態における確認プリントの処理について説明する。確認プリントの処理は、基本的には、第１の実施形態と同様である。ただし、Ｓ１６０４、Ｓ１６０６、Ｓ１６０８、Ｓ１６０９の全てで、複写確認用のノーカーボン紙を白紙で出力（複写確認用のノーカーボン紙に画像を印刷せずに出力）する点が異なる。
以上の構成によれば、白紙の印刷に関して課金を行わない画像形成装置に対しては、複写確認用のノーカーボン紙を白紙とすることで、複写確認用のノーカーボン紙が課金されないで済む効果が得られる。
【００７２】
＜第４の実施形態＞
本実施形態では、第２の実施形態において、複写確認用のノーカーボン紙を白紙で出力する。本実施形態については、第３の実施形態と同様にして実現できるので詳細については説明を省略する。
【００７３】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００７４】
上述した実施形態の構成によれば、ノーカーボン紙を確認用として適切に出力することができる。
【００７５】
以上、本発明の好ましい実施形態について詳述したが、本発明は係る特定の実施形態に限定されるものではなく、特許請求の範囲に記載された本発明の要旨の範囲内において、種々の変形・変更が可能である。
【図１】
0005854610.tif 000002
【図２】
0005854610.tif 000003
【図３】
0005854610.tif 000004
【図４】
0005854610.tif 000005
【図５】
0005854610.tif 000006
【図６】
0005854610.tif 000007
【図７】
0005854610.tif 000008
【図８】
0005854610.tif 000009
【図９】
0005854610.tif 000010
【図１０】
0005854610.tif 000011
【図１１】
0005854610.tif 000012
【図１２】
0005854610.tif 000013
【図１３】
0005854610.tif 000014
【図１４】
0005854610.tif 000015
【図１５】
0005854610.tif 000016
【図１６】
0005854610.tif 000017
【図１７】
0005854610.tif 000018
【図１８】
0005854610.tif 000019
【図１９】
0005854610.tif 000020
【図２０】
0005854610.tif 000021